(57)【特許請求の範囲】
【請求項１】
環状透過部及び目盛部を有する表示板と、前記表示板を指示する指針と、前記環状透過部を照明する照明光を発する第一の光源と、前記目盛部を照明する第二の光源と、前記第一の光源が発した前記照明光を前記環状透過部に導く導光部材と、を備えた表示装置であって、
前記第一の光源は、第一の色を有する第一の照明光を発する第一の発光素子と、第二の色を有する第二の照明光を発する第二の発光素子と、前記第一の色を有する第三の照明光を発する第三の発光素子と、前記第二の色を有する第四の照明光を発する第四の発光素子と、を有し、
前記導光部材は、前記第一の照明光及び前記第二の照明光を受光する第一の受光部と、前記第三の照明光及び前記第四の照明光を受光する第二の受光部と、を有し、
前記第一の発光素子と前記第三の発光素子とを結ぶ第一の仮想線が、前記第二の発光素子と前記第四の発光素子とを結ぶ第二の仮想線に交差するように、前記第一の発光素子及び前記第二の発光素子と、前記第三の発光素子及び前記第四の発光素子と、が配置されると共に、
前記導光部材は、前記第一の発光素子と前記第二の発光素子の間に向けて伸長する第一の切込み部と、前記第三の発光素子と前記第四の発光素子の間に向けて伸長する第二の切込み部と、を有し、
前記第一の切込み部及び前記第二の切込み部により右周り及び左周りの光路が形成されることを特徴とする表示装置。
【請求項２】
前記第一の発光素子及び前記第三の発光素子と、前記第二の発光素子及び前記第四の発光素子と、を別々にオン／オフさせる制御手段を備えたことを特徴とする請求項１に記載の表示装置。
【発明の詳細な説明】
【技術分野】
【０００１】
本発明は、発光色が異なる複数の光源を備えた表示装置に関するものである。
【背景技術】
【０００２】
従来より、装飾用のリング部材を備えた表示装置が種々提案されており、例えば特許文献１に開示されている。斯かる表示装置は、表示板上にリング部材を配設して、デザイン性を向上させたものである。一方、リング部材を表示板の背後に配置した光源によって透過照明する照明構造が提案されており、例えば特許文献２に開示されている。この照明構造にあっては、表示板の背後に配置された回路基板上に実装された光源が発した照明光を、リング部材の受光部によって受光し、その光によってリング部材を発光表示させるものである。また、近年は、光源として発光ダイオードが用いられ、消費電力が少なく、様々な色を発することができるため、リング部材の色変え照明（カラーチェンジ）の要求も高くなりつつある。
【先行技術文献】
【特許文献】
【０００３】
【特許文献１】特開２００４−２６４０８７号公報
【特許文献２】特開平１０−３３２４３９号公報
【発明の概要】
【発明が解決しようとする課題】
【０００４】
しかしながら、リング部材を均一な輝度で発光させるため、リング部材の背後に、等間隔に複数の光源を配置させるものであるが、光源の個数が多く必要となり、コストがかかってしまうという問題を有していた。また、リング部材のカラーチェンジがある場合は、各色の発光ダイオードを等間隔に配置させるため、さらに多くの光源の個数が必要となり、コストの更なる上昇を招き、また、回路基板の実装レイアウトも広く確保しなければならない。また、光源の個数が多くなることから、消費電力も大きくなるという問題を有していた。
本発明は、これらの問題に鑑みなされたものであり、少ない数の光源にてカラーチェンジ照明ができる表示装置を提供するものである。
【課題を解決するための手段】
【０００５】
本発明は、請求項１に記載のように、環状透過部１３及び目盛部１１を有する表示板１０と、前記表示板１０を指示する指針２０と、前記環状透過部１３を照明する照明光Ｌ１，Ｌ２，Ｌ３，Ｌ４を発する第一の光源５１，５２，５３，５４と、前記目盛部１１を照明する第二の光源５５と、前記第一の光源５１，５２，５３，５４が発した前記照明光Ｌ１，Ｌ２，Ｌ３，Ｌ４を前記環状透過部１３に導く導光部材６０と、を備えた表示装置であって、前記第一の光源５１，５２，５３，５４は、第一の色を有する第一の照明光Ｌ１を発する第一の発光素子５１と、第二の色を有する第二の照明光Ｌ２を発する第二の発光素子５２と、前記第一の色を有する第三の照明光Ｌ３を発する第三の発光素子５３と、前記第二の色を有する第四の照明光Ｌ４を発する第四の発光素子５４と、を有し、前記導光部材６０は、前記第一の照明光Ｌ１及び前記第二の照明光Ｌ２を受光する第一の受光部６１と、前記第三の照明光Ｌ３及び前記第四の照明光Ｌ４を受光する第二の受光部６２と、を有し、前記第一の発光素子５１と前記第三の発光素子５３とを結ぶ第一の仮想線Ｑ１が、前記第二の発光素子５２と前記第四の発光素子５４とを結ぶ第二の仮想線Ｑ２に交差するように、前記第一の発光素子５１及び前記第二の発光素子５２と、前記第三の発光素子５３及び前記第四の発光素子５４と、が配置されると共に、前記導光部材６０は、前記第一の発光素子５１と前記第二の発光素子５２の間に向けて伸長する第一の切込み部６３ａと、前記第三の発光素子５３と前記第四の発光素子５４の間に向けて伸長する第二の切込み部６３ｂと、を有し、前記第一の切込み部６３ａ及び前記第二の切込み部６３ｂにより右周り及び左周りの光路が形成されるものである。
【０００７】
また、本発明は、請求項２に記載のように、前記第一の発光素子５１及び前記第三の発光素子５３と、前記第二の発光素子５２及び前記第四の発光素子５４と、を別々にオン／オフさせる制御手段９０を備えたものである。
【発明の効果】
【０００８】
第一の発光素子及び第三の発光素子と、第二の発光素子及び第四の発光素子と、をクロス配置したことにより、少ない数の光源にてカラーチェンジ照明ができる。
【図面の簡単な説明】
【０００９】
【図１】本発明の実施形態を示す正面図。
【図２】同上実施形態を示す断面図。
【図３】同上実施形態を示す導光部材の正面図。
【図４】同上実施形態を示す光源の配置図。
【図５】同上実施形態を示すブロック図。
【図６】同上実施形態を示す光路説明図。
【発明を実施するための形態】
【００１０】
以下、添付図面に基づいて、本発明の一実施形態を説明する。車両用表示装置は、表示板１０，指針２０，ステッピングモータ３０，回路基板４０，光源５０，導光部材６０，ケース体７０，カバー８０を備えている。
【００１１】
表示板１０は、透光性樹脂からなる基板に、目盛部１１，数字部１２，環状透過部１３を印刷形成したものである。表示板１０の目盛部１１，数字部１２，環状透過部１３は、光源５０によって透過照明される。環状透過部１３は、指針２０の回動中心軸Ｐを中心とするリング状になっている。
【００１２】
指針２０は、ステッピングモータ３０によって回動され、表示板１０を指示することにより、車両速度が表示される。ステッピングモータ３０は、回路基板４０に搭載されており、回動軸３１の端部に取付けられた指針２０を回動させる。回路基板４０は、ガラスエポキシ樹脂からなる硬質基板に配線パターンを形成したものであり、ステッピングモータ３０，光源５０を搭載している。
【００１３】
光源５０は、赤色光を発する発光素子（第一の発光素子）５１と、白色光を発する発光素子（第二の発光素子）５２と、赤色光を発する発光素子（第三の発光素子）５３と、白色光を発する発光素子（第四の発光素子）５４と、白色光を発する発光素子５５とを有している。発光素子５１，５２，５３，５４，５５は、トップビュー型の発光ダイオードからなるものである。発光素子５１，５２，５３，５４は、表示板１０の環状透過部１３を透過照明するものであり、発光素子５５は、表示板１０の目盛部１１，数字部１２を透過照明するものである。
【００１４】
導光部材６０は、アクリル，ポリカーボネート等の透光性樹脂からなるものであり、表示板１０の後面に配設されている。導光部材６０は、発光素子５１，５２が発した照明光Ｌ１，Ｌ２を受光する受光部６１と、発光素子５３，５４が発した照明光Ｌ３，Ｌ４を受光する受光部６２と、を有しており、照明光Ｌ１，Ｌ２，Ｌ３，Ｌ４にて光輝する。導光部材６０は、発光素子５１，５２，５３，５４が発した照明光Ｌ１，Ｌ２，Ｌ３，Ｌ４を表示板１０の環状透過部１３に導いて、環状透過部１３を透過照明する。
【００１５】
導光部材６０にはステッピングモータ３０の回動軸３１が貫通する穴部６３が形成されており、導光部材６０は正面視で略環状になっている。導光部材６０の穴部６３には、発光素子５１と発光素子５２の間に向けて伸長する切込み部６３ａと、発光素子５３と発光素子５４の間に向けて伸長する切込み部６３ｂと、を有している。穴部６３の切込み部６３ａ，６３ｂは、連続する曲面形状（接線連続）になっている。
【００１６】
ケース体７０は、不透明な樹脂からなるものであり、表示板１０，回路基板４０はケース体７０に固定されている。カバー８０は、不透明な樹脂からなるものであり、ステッピングモータ３０及び回路基板４０の背面を保護している。
【００１７】
次に、図４に基づいて、発光素子５１，５２，５３，５４の配置について詳述する。発光素子５１，５２，５３，５４は、発光素子５１と発光素子５３とを結ぶ仮想線Ｑ１が、発光素子５２と発光素子５４とを結ぶ仮想線Ｑ２に交差するように、配置されている。発光素子５１，５２と、発光素子５３，５４とは、仮想線Ｑ３を対象軸とする線対称に配置されている。また、発光素子５１，５２，５３，５４は全て、指針２０の回動中心軸Ｐを中心とする仮想円Ｑ４上に位置している。
【００１８】
図５は、車両用表示装置の電気的構成を示すブロック図である。９１は車速センサであり、この車速センサ９１は、車両速度を検出し、マイコン（制御手段）９０に車速データを出力する。マイコン９０は、入力した各種データに基づいて演算処理するＣＰＵと、このＣＰＵにおける演算処理結果等を一時的に格納する読出し及び書換え可能なＲＡＭと、制御プログラムや制御データを格納したＲＯＭと、を有しており、車速センサ９１から入力した車速データに応じて、ステッピングモータ３０を駆動する。
【００１９】
マイコン９０は、照明色データ９２を入力し、この照明色データ９２に応じて、発光素子５１，５３をオンして、発光素子５２，５４をオフさせる第一の照明モードと、発光素子５２，５４をオンして、発光素子５１，５３をオフさせる第二の照明モードとを切換える。第一の照明モードでは、表示板１０の環状透過部１３は、赤色に透過照明される。第二の照明モードでは、表示板１０の環状透過部１３は、白色に透過照明される。
【００２０】
次に、図６に基づいて、導光部材６０の切込み部６３ａ，６３ｂの作用について説明する。第一の照明モードでは、発光素子５１が発した照明光Ｌ１は切込み部６３ａで反射され、発光素子５３が発した照明光Ｌ３は切込み部６３ｂで反射されるため、正面視で右周りの光路が形成される（図６（ａ）参照）。一方、第二の照明モードでは、発光素子５２が発した照明光Ｌ２は切込み部６３ａで反射され、発光素子５４が発した照明光Ｌ４は切込み部６３ｂで反射されるため、正面視で左周りの光路が形成される（図６（ｂ）参照）。
【００２１】
本実施形態によれば、発光素子５１，５３と、発光素子５２，５４と、をクロス配置したことにより、輝度ムラが少ないように、第一照明モードと、第二照明モードとを切換えることができる。また、導光部材６０に切込み部６３ａ，６３ｂを設けたことにより、更に輝度ムラが少なくなる。
【符号の説明】
【００２２】
５０    光源
５１    発光素子（第一の発光素子）
５２    発光素子（第二の発光素子）
５３    発光素子（第三の発光素子）
５４    発光素子（第四の発光素子）
６０    導光部材
６１    受光部（第一の受光部）
６２    受光部（第二の受光部）
６３ａ  切込み部（第一の切込み部）
６３ｂ  切込み部（第二の切込み部）
９０    マイコン（制御手段）
Ｌ１    照明光（第一の照明光）
Ｌ２    照明光（第二の照明光）
Ｌ３    照明光（第三の照明光）
Ｌ４    照明光（第四の照明光）
Ｑ１    仮想線（第一の仮想線）
Ｑ２    仮想線（第二の仮想線）
【図１】
0005854264.tif 000002
【図２】
0005854264.tif 000003
【図３】
0005854264.tif 000004
【図４】
0005854264.tif 000005
【図５】
0005854264.tif 000006
【図６】
0005854264.tif 000007